(57)【特許請求の範囲】
【請求項１】
計器に接続された電源側電線及び負荷側電線に固定された状態で、本体内に設けられためねじ部に押し切りねじをねじ込むことにより、これら電源側電線と負荷側電線とを押し切りねじを介して相互に短絡してバイパス回路を形成する押し切り部と、
バイパス回路と電気的に接続される接続子と、バイパス回路が接続されたことを表示する表示部を含む操作パネルと、を有し、押し切り部の押し切りねじが螺挿されているめねじ部にこの接続子を挿入することで、押し切り部のねじ頭と接続確認部の接続子とが電気的に接続されたことを、操作パネルの表示部が表示することにより、電源側電線と負荷側電線との接続の可否を知らせる接続確認部と、
を備え、
この接続確認部は、押し切り部の押し切りねじのねじ頭と電気的に接続されて、電源側電線と負荷側電線との接続の可否を知らせることを特徴とする無停電工具。
【請求項２】
請求項１に記載の無停電工具において、
前記接続確認部の接続子は弾性部により付勢力が加えられており、押し切りねじのねじ頭と接続子とが密着した状態で電気的に接続されることを特徴とする無停電工具。
【請求項３】
請求項１または請求項２に記載の無停電工具において、
上下方向に配線される電源側電線と負荷側電線とに押し切り部を取付けたとき、押し切り部のめねじ部は電源側電線と負荷側電線とに対して略垂直方向であって前面方向へその中心軸が伸び、また、接続確認部の接続子が押し切り部のめねじ部に挿入されたとき操作パネルが前面に位置することを特徴とする無停電工具。
【発明の詳細な説明】
【技術分野】
【０００１】
本発明は、低電圧需要家の取引用電力量計などの計器に接続された電源側電線と負荷側電線とを短絡させて、無停電で、計器を交換するために使用される無停電工具に関する。
【０００２】
従来技術の一例の無停電工具について図を参照しつつ説明する。図６は従来技術の無停電工具の外観図であり、図６（ａ）は正面図、図６（ｂ）は平面図、図６（ｃ）は右側面図、図６（ｄ）は底面図である。図７は計器への無停電工具の接続状態を説明する説明図であり、図７（ａ）は接続状態の正面図、図７（ｂ）は接続状態の右側面図である。図６，図７では計器２００を取り外すため、この無停電工具４００が、電線１００に接続された状態が示されている。
【０００３】
電線１００は、詳しくは図６（ａ），（ｂ）で示すように、電源（図示せず）に接続された１Ｓ，２Ｓという電源側電線１０１と、負荷（図示せず）に接続された１Ｌ，２Ｌという負荷側電線１０２と、を総称するものである。
計器２００は各種あるが、例えば、図７（ａ），（ｂ）で示すように、一般家屋に取付けられている積算電力量計などである。このような積算電力量計などの計器２００は、通常は風雨から保護するため、計器箱３００に収容されていることが多い。
【０００４】
続いて、無停電工具４００について説明する。無停電工具４００は、図６で示すように、本体４０１、固定台４０２、締結ねじ４０３、押し切りねじ４０４、表示部４０５、スイッチ４０６を備えている。
【０００５】
本体４０１は、例えば樹脂成形品であり、その内部にバイパス回路をなす接続導体（図示せず）が埋め込まれている。この本体４０１には、押し切りねじ４０４が螺合されるめねじ部が設けられている。また、この本体４０１には、図６（ｂ），（ｄ）で示すように、電源側電線１０１と負荷側電線１０２を配置する溝が形成されている。この溝により電源側電線１０１と負荷側電線１０２とが所定の位置に配置・誘導される。
固定台４０２は、例えば樹脂成形品で板状に形成されており、図６（ｂ），（ｄ）で示すように、電源側電線１０１と負荷側電線１０２を配置する溝が形成されている。この溝により電源側電線１０１と負荷側電線１０２とが所定の位置に配置・誘導される。
【０００６】
締結ねじ４０３は、本体４０１に形成された挿通孔に挿通されるとともに固定台４０２に螺挿されるようになされており、締結ねじ４０３を締め付けると本体４０１と固定台４０２とが電源側電線１０１と負荷側電線１０２を挟み込んだ状態で締結固定される。
押し切りねじ４０４は、本体４０１の内部に設けられためねじ部に螺挿されており、電源側電線１０１と負荷側電線１０２の絶縁被覆を押し切って、双方の電線を短絡させ、本体４０１の内部に設けられた接続導体（図示せず）と電気的接続をおこなってバイパス回路を形成する。
【０００７】
表示部４０５は、例えばランプなどであり、上記のバイパス回路の１Ｓ−１Ｌ間が電気的に接続されたときに表示するランプと、同じくバイパス回路の２Ｓ−２Ｌ間が電気的に接続されたときに表示するランプと、を備える。
スイッチ４０６は、上記の２系統のランプをＯＮーＯＦＦするようになされ、電源側電線１０１と負荷側電線１０２との１Ｓ−１Ｌ間および２Ｓ−２Ｌ間の接続がなされているときにスイッチ４０６をＯＮにすると、表示ランプ４０５が両者ともに点灯・点滅するため、接続の可否が確認できる。
【０００８】
続いて無停電工具４００を使った計器交換について概略説明する。
交換対象となっている計器２００に接続されている電源側電線１０１と負荷側電線１０２を、固定台４０２と本体４０１とで挟み、押し切りねじ４０４により被覆を押し切ってバイパス回路を形成する。続いて、スイッチ４０６をＯＮにすると電源側電線１０１と負荷側電線１０２の接続がなされているときに表示部４０５の両方が点灯・点滅し、接続によりバイパス回路が形成されたことを確認できる。この状態で失効替えとなった計器２００を取り外し、新たに検定済みの計器２００を取付ける。これにより負荷側は無停電で交換することが可能になる。
無停電工具４００はこのようなものである。
【０００９】
このような従来技術の無停電工具は、特許文献１（特許第３３９２８２４号公報）および特許文献２（特許第２６４８９０６号公報）等にも開示されている。
【００１０】
【特許文献１】特許第３３９２８２４号公報
【特許文献２】特許第２６４８９０６号公報
【発明の開示】
【発明が解決しようとする課題】
【００１１】
従来技術の計器２００のうち、特に電力量計（ＷＨＭ）は、キュービクルや計器箱のようにスペース的にさほど余裕が無い箇所に収納設置されていることが多く、従来技術の無停電工具ではそのまま対処出来ないことや著しく作業効率が悪化することがある。
例えば、図７（ａ），（ｂ）で示したような電力量計（ＷＨＭ）などの計器２００は、計器箱３００内に収容されているが、このような計器箱３００内に収容された計器２００を交換する場合、従来技術の無停電工具４００では、図６で示したように縦長の形状を有していることに起因して、図７で示すように、計器箱３００内に収まらず、計器２００の交換が困難であるという問題があった。このように、無停電工具４００の取付けが困難なキュービクル（図示せず）や計器箱３００に収容されている計器２００に対しても、取付けが可能な無停電工具の開発が要請されていた。
【００１２】
そこで、本発明は、上述の課題を解決するためになされたものであり、その目的は、狭い収容スペース内に収められている計器に対しても接続できるようにした無停電工具を提供することにある。
【課題を解決するための手段】
【００１３】
本発明の請求項１に係る無停電工具は、
計器に接続された電源側電線及び負荷側電線に固定された状態で、本体内に設けられためねじ部に押し切りねじをねじ込むことにより、これら電源側電線と負荷側電線とを押し切りねじを介して相互に短絡してバイパス回路を形成する押し切り部と、
バイパス回路と電気的に接続される接続子と、バイパス回路が接続されたことを表示する表示部を含む操作パネルと、を有し、押し切り部の押し切りねじが螺挿されているめねじ部にこの接続子を挿入することで、押し切り部のねじ頭と接続確認部の接続子とが電気的に接続されたことを、操作パネルの表示部が表示することにより、電源側電線と負荷側電線との接続の可否を知らせる接続確認部と、
を備え、
この接続確認部は、押し切り部の押し切りねじのねじ頭と電気的に接続されて、電源側電線と負荷側電線との接続の可否を知らせることを特徴とする。
【００１４】
また、本発明の請求項２に係る無停電工具は、
請求項１に記載の無停電工具において、
前記接続確認部の接続子は弾性部により付勢力が加えられており、押し切りねじのねじ頭と接続子とが密着した状態で電気的に接続されることを特徴とする。
【００１５】
また、本発明の請求項３に係る無停電工具は、
請求項１または請求項２に記載の無停電工具において、
上下方向に配線される電源側電線と負荷側電線とに押し切り部を取付けたとき、押し切り部のめねじ部は電源側電線と負荷側電線とに対して略垂直方向であって前面方向へその中心軸が伸び、また、接続確認部の接続子が押し切り部のめねじ部に挿入されたとき操作パネルが前面に位置することを特徴とする。
【発明の効果】
【００１７】
本発明によれば、狭い収容スペース内に収められている計器に対しても接続できるようにした無停電工具を提供することができる。
【発明を実施するための最良の形態】
【００１８】
本発明の無停電工具を実施するための最良の形態について図に基づき説明する。図１は本形態の無停電工具の説明図であり、図１（ａ）は使用状態の正面図、図１（ｂ）は使用状態の側面図である。図２は本形態の無停電工具の使用状態の平面図である。
続いて、無停電工具１について説明する。図１（ａ），（ｂ）において、計器２００を取り外すため、無停電工具１（詳しくは押し切り部１０のみ）が電線１００に接続された状態が示されている。
【００１９】
電線１００は、詳しくは電源（図示せず）に接続された１Ｓ，２Ｓという電源側電線１０１と、負荷（図示せず）に接続された１Ｌ，２Ｌという負荷側電線１０２と、を総称するものである。
計器２００は各種あるが、例えば、一般家屋に取付けられている積算電力量計などである。
計器箱３００は計器２００を外界から保護するために設けられる。
このような計器２００を取り外すため、無停電工具１が使用される。
【００２０】
この無停電工具１は、図１で示すように押し切り部１０と、接続確認部２０と、を備えている。なお、押し切り部１０と、接続確認部２０とは、通常は離脱しており、押し切り部１０を単体で電線１００に固定してバイパス回路を形成するものであり、このバイパス回路が形成されたか否かという接続確認をするときだけ、図１（ｂ）で示すように、押し切り部１０に接続確認部２０を接続して用いる。なお、取換え方法については後述する。
【００２１】
まず、無停電工具１の詳細について図を参照しつつ説明する。図３は本形態の無停電工具のうち押し切り部の外観図であり、図３（ａ）は正面図、図３（ｂ）は平面図、図３（ｃ）は右側面図、図３（ｄ）は底面図である。図４は本形態の無停電工具のうち接続確認部の外観図であり、図４（ａ）は平面図、図４（ｂ）は正面図である。
【００２２】
押し切り部１０は、詳しくは図３で示すように、本体１１、固定台１２、締結ねじ１３、押し切りねじ１４を備えている。
【００２３】
本体１１は、例えば樹脂成形品であり、その内部にバイパス回路をなす接続導体（図示せず）が埋め込まれている。この本体１１の内部には、図２で示すように、押し切りねじ１４が螺合されるめねじ部１１１が４本設けられている。また、図３（ｂ），（ｄ）で示すように、電源側電線１０１と負荷側電線１０２を配置する円溝１１２が形成されている。この円溝１１２により電源側電線１０１と負荷側電線１０２とが所定の位置に配置・誘導される。
【００２４】
固定台１２は、例えば樹脂成形品で板状に形成されており、図３（ｂ），（ｄ）で示すように、電源側電線１０１と負荷側電線１０２を配置するＶ溝１２１が形成されている。このＶ溝１２１により電源側電線１０１と負荷側電線１０２とが所定の位置に配置・誘導される。例えば、図２で示すように本体１１の円溝１１２と固定台１２のＶ溝１２１内に固定される。押し切り時には固定台１２のこのＶ溝１２１内に入り込み、確実に固定される。
【００２５】
締結ねじ１３は、本体１１に形成された挿通孔（図示せず）に挿通されるとともに固定台１２に螺挿されるようになされており、締結ねじ１３を締め付けると本体１１と固定台１２とが電源側電線１０１と負荷側電線１０２を挟み込んだ状態で締結固定される。
【００２６】
押し切りねじ１４は、本体１１の内部に設けられ、電源側電線１０１と負荷側電線１０２との絶縁被覆を押し切って、双方の電線を短絡させ、本体１１の内部に設けられた接続導体（図示せず）と電気的接続をおこなってバイパス回路を形成する。
押し切り部１０はこのように構成される。
【００２７】
接続確認部２０は、図４で示すように本体２１と、シャフト２２と、接続子２３と、弾性体の具体例であるばね２４と、表示部２５と、電源スイッチ２６と、操作パネル２７と、を備えている。
本体２１は、その内部に内部回路が収納されているケースである。この内部回路は表示部２５に接続されている。
シャフト２２は、本体２１から突出している。また、シャフト２２は本体２１内の内部回路に電気的に接続されている。
接続子２３は、シャフト２２に軸支されて、矢印Ａ方向を移動できるようになされている。また、シャフト２２に電気的に接続されている。
【００２８】
ばね２４は、シャフト２２が中心に挿通されるとともに、接続子２３と本体２１との間に配置されており、接続子２３を外側に付勢している。なお、ばね２４に代えて、弾性体の他の例であるゴム体等を採用しても良い。
表示部２５は、例えば、表示ランプやＬＥＤ素子などであり、上記のバイパス回路の１Ｓ−１Ｌ間が電気的に接続されたときに表示する１Ｓ−１Ｌ表示部と、同じくバイパス回路の２Ｓ−２Ｌ間が電気的に接続されたときに表示する２Ｓ−２Ｌ表示部と、を備える。この表示部２５は、押し切りねじ１４，接続子２３、シャフト２２を通じて電線１００と内部回路とが導通したときに、点灯・点滅する。
なお、図４（ｂ）で示すように、他の表示部として、負荷の有無を確認できる負荷表示部や、ＢＣ（ＢｒｅａｋｉｎｇＣｕｒｒｅｎｔ：破壊電流）が流れたときに表示するＢＣ表示部も含めることができる。
【００２９】
スイッチ２６は、内部回路のうち上記の２系統のランプをＯＮーＯＦＦするような形態で接続がなされており、電源側電線１０１と負荷側電線１０２との１Ｓ−１Ｌ間および２Ｓ−２Ｌ間の接続がなされているときにのみスイッチ２６をＯＮにすると、表示ランプ２５が両者ともに点灯・点滅する。
操作パネル２７は、表示部２５やスイッチ２６を配置する。
【００３０】
このような無停電工具１では、上下方向に配線される電源側電線１０１と負荷側電線１０２に押し切り部１０を取付けたとき、図２で示すように、押し切り部１０のめねじ部１１１は電源側電線１０１と負荷側電線１０２に対して略垂直方向であって前面方向へその中心軸が伸びている。そして、接続確認部２０の接続子２３が押し切り部１０のめねじ部１１１に挿入されたとき操作パネル２７が前面に位置する。このような構成となるため、上下方向に空間的余裕が無い場合でも無停電工具１の取付けが可能となる。
【００３１】
続いて、無停電工具１を使った計器交換について図を参照しつつ説明する。図５は、無停電工具の使用方法を説明する説明図であり、図５（ａ）は接続確認部の接続前の正面図、図５（ｂ）は接続確認部の接続前の側面図、図５（ｃ）は接続確認部の接続後の側面図である。
【００３２】
まず、交換対象となっている計器２００に接続されている電源側電線１０１と負荷側電線１０２に対して固定台１２と本体１１とを挟み、押し切りねじ１４により被覆を押し切ってバイパス回路を形成する。この場合、図５（ａ）で示すような状態となる。この場合、図１（ａ），（ｂ）で示すように、縦方向の長さが従来技術と比較しても十分に短く形成されている押し切り部１０のみを計器箱３００内に収容するため、計器箱３００に影響されることなく、接続することができる。
【００３３】
続いて、図５（ｂ），図１（ｂ）で示すように、接続確認部２０を押し切り部１０に取付ける。この場合、作業員は、その手に持った接続確認部２０の接続子を、押し切り部１０のめねじ部１１１に差し込んで図５（ｃ）で示すような状態とする。
この場合、図２で示すように、接続確認部２０の接続子２３が、押し切り部１０のめねじ部１１１に螺挿されている押し切りねじ１４のねじ頭１４１と接触して電気的に接続される。
【００３４】
押し切りねじ１４の位置は、電源側電線１０１と負荷側電線１０２との状態によって若干位置が異なり、また、作業員によって接続確認部２０の配置位置が異なり、これら位置の違いが相俟って接続位置は常に異なるが、本形態ではばね２４の付勢力により接続子２３が常にねじ頭１４１に密着するようにして位置の違いを吸収するため、確実に電気的接続が行われる。
【００３５】
続いて、電源スイッチ２６をＯＮにすると電源側電線１０１ａと負荷側電線１０１ｂの接続がなされているときに表示部２５が点灯または点滅して、接続されたことを確認できる。
【００３６】
確認終了後に接続確認部２０を取り外し、図１（ａ），図５（ａ）の状態に戻す。この状態で失効替え計器２００を取り外し、検定済みの計器２００を取付ける。これにより負荷側は無停電のままで計器２００を交換することが可能になる。
無停電工具１の使用方法はこのようなものである。
【００３７】
以上本形態について説明した。計器のうち電力量計（ＷＨＭ）は、スペース的にさほど余裕が無いキュービクルや計器箱に収納設置されていることが多いが、本形態の無停電工具１では押し切り部１０が単体となることで小型化が図られており、計器箱３００に影響されることなく押し切り部１０を取付けることができる。また、押し切り部１０を奥側に、また、接続確認部２０を手前側に配置するようにしたため、特に計量の都合上手前方向にスペースを確保しやすい、つまり開口部等前面方向がオープンスペースであるキュービクルや計器箱の計器の取換えに好適である。
なお、本形態では単相二線式電力量計（ＷＨＭ）について説明したが、単相三線式や三相三線式低圧配電系統に設置される電力量計（ＷＨＭ）に適用できることはいうまでも無い。
【図面の簡単な説明】
【００３８】
【図１】本発明を実施するための最良の形態の無停電工具の説明図であり、図１（ａ）は使用状態の正面図、図１（ｂ）は使用状態の側面図である。
【図２】本発明を実施するための最良の形態の無停電工具の使用状態の平面図である。
【図３】本発明を実施するための最良の形態の押し切り部の外観図であり、図３（ａ）は正面図、図３（ｂ）は平面図、図３（ｃ）は右側面図、図３（ｄ）は底面図である。
【図４】本発明を実施するための最良の形態の無停電工具のうち接続確認部の外観図であり、図４（ａ）は平面図、図４（ｂ）は正面図である。
【図５】無停電工具の使用方法を説明する説明図であり、図５（ａ）は接続確認部の接続前の正面図、図５（ｂ）は接続確認部の接続前の側面図、図５（ｃ）は接続確認部の接続後の側面図である。
【図６】従来技術の無停電工具の外観図であり、図６（ａ）は正面図、図６（ｂ）は平面図、図６（ｃ）は右側面図、図６（ｄ）は底面図である。
【図７】計器への無停電工具の接続状態を説明する説明図であり、図７（ａ）は接続状態の正面図、図７（ｂ）は接続状態の右側面図である。
【符号の説明】
【００３９】
１：無停電工具
１０：押し切り部
１１：本体
１１１：めねじ部
１１２：円溝
１２：固定台
１２１：Ｖ溝
１３：締結ねじ
１４：押し切りねじ
１４１：ねじ頭
２０：接続確認部
２１：本体
２２：シャフト
２３：接続子
２４：ばね
２５：表示部
２６：電源スイッチ
２７：操作パネル
１００：電線
１０１：電源側電線
１０２：負荷側電線
２００：計器
３００：計器箱
【図１】
0004703285.tif 000002
【図２】
0004703285.tif 000003
【図３】
0004703285.tif 000004
【図４】
0004703285.tif 000005
【図５】
0004703285.tif 000006
【図６】
0004703285.tif 000007
【図７】
0004703285.tif 000008